(57)【特許請求の範囲】
【請求項１】
親機と子機とからなり、前記親機と前記子機との間では、単位通信期間を複数のスロットに分割し、前記スロットのそれぞれは第１のフィールドと第１のフィールドよりもデータ長が長い第２のフィールドとを有し、前記親機から前記子機への通信と前記子機から前記親機への通信のそれぞれにおいて、前記スロットを用いてＴＤＭＡ（Time Division Multiple Access；時分割多元接続）／ＴＤＤ（Time Division Duplex；時分割複信）方式の無線通信を行うコードレス電話装置であって、
前記子機は、
所定のタイミングごとに、前記複数のスロットの利用状況を確認する確認手段と、
通話の開始時において、通話用スロットの取得要求を形成して前記親機に送信する第１の要求手段と、
通話の開始時において、前記確認手段により所定数以上の空きスロットの存在が確認されている場合に、前記通話用スロットとは異なる制御データ用スロットの取得要求を形成して前記親機に送信する第２の要求手段と、
前記制御データ用スロットが取得されている場合には、当該制御データ用スロットの少なくとも第２のフィールドが利用されて送信されてくる制御データに応じて制御を行い、前記制御データ用スロットが取得されていない場合には、前記通話用スロットの前記第１のフィールドが用いられて送信されてくる制御データに応じて制御を行う制御手段と
を備え、
前記親機は、
前記子機からの前記通話用スロットの取得要求を受信した場合に、前記子機との間に通話用スロットを取得する第１の取得手段と、
前記子機からの前記制御データ用スロットの取得要求を受信した場合に、前記子機との間に制御データ用スロットを取得する第２の取得手段と、
前記制御データ用スロットが取得されている場合には、当該制御データ用スロットの少なくとも第２のフィールドを用いて制御データを前記子機に送信し、前記制御データ用スロットが取得されていない場合には、前記通話用スロットの前記第１のフィールドを用いて制御データを送信し、前記第２のフィールドを用いて音声データを送信するように制御する送信制御手段と
を備えることを特徴とするコードレス電話装置。
【請求項２】
請求項１に記載のコードレス電話装置であって、
前記子機は、
通話中において、前記制御データ用スロットが取得されていない場合には、所定のタイミングごとに前記確認手段の確認結果を参照し、所定数以上の空きスロットの存在が確認されている場合に、前記通話用スロットとは異なる制御データ用スロットの取得要求を形成して前記親機に送信する第３の要求手段を備え、
前記親機は、
通話中において、前記子機からの前記制御データ用スロットの取得要求を受信した場合に、前記子機との間に制御データ用スロットを取得する第３の取得手段を備えることを特徴とするコードレス電話装置。
【請求項３】
請求項２に記載のコードレス電話装置であって、
前記子機は、
通話中において、前記制御データ用スロットが取得されている場合には、所定のタイミングごとに前記確認手段の確認結果を参照し、所定数以上の空きスロットの存在が確認されていない場合に、前記制御データ用スロットの解放要求を形成して前記親機に送信する解放要求手段を備え、
前記親機は、
通話中において、前記子機からの前記制御データ用スロットの解放要求を受信した場合に、前記子機との間に取得した前記制御データ用スロットを解放する解放手段を備えることを特徴とするコードレス電話装置。
【発明の詳細な説明】
【技術分野】
【０００１】
この発明は、ＴＤＭＡ（Time Division Multiple Access；時分割多元接続）／ＴＤＤ（Time Division Duplex；時分割複信）方式の無線通信方式を利用したコードレス電話装置に関する。
【背景技術】
【０００２】
日本においては、デジタルコードレス電話の標準規格Ｔ１０１が、一般社団法人電波産業会（ＡＲＩＢ）により、２０１１年に策定され、その中に、ＤＥＣＴ（Digital Enhanced Cordless Telecommunication）規格の技術内容が含まれている。
【０００３】
デジタルコードレス電話のＤＥＣＴ規格においては、親機から子機への送信を行う場合の通信方式は時分割多重方式を使用する時分割複信方式であること、子機から親機への送信を行う場合の通信方式は時分割多元接続方式を使用する時分割複信方式であること、周波数は１．９ＧＨｚ帯を使用すること、チャンネル数は最大５チャンネルであること、などが定められている。
【０００４】
そして、ＤＥＣＴ規格においては、符号化データの、１チャンネルにおける１フレームは、図１２（Ａ）に示すように、２４スロットからなるものとされ、前半の１／２フレームの１２スロットＳ０〜Ｓ１１は、親機から子機へのダウンリンクに用いられ、後半の１／２フレームの１２スロットＳ１２〜Ｓ２３は、子機から親機へのアップリンクに用いられる。そして、各スロットは、制御データを伝送するＡフィールドと音声データを伝送するＢフィールドとなどが設けられた構成を有する（例えば、特許文献１参照）。
【先行技術文献】
【特許文献】
【０００５】
【特許文献１】特表２００１−５１０９７２号公報
【発明の概要】
【発明が解決しようとする課題】
【０００６】
ＤＥＣＴ規格（方式）における符号化データの１フレームは、上述したように２４スロットからなるが、各スロットは、図１２（Ｂ）に示すように、Ｓフィールド、Ａフィールド、Ｂフィールド、Ｘフィールド、保護スペースからなっている。Ｓフィールドは、同期化データ伝送用の３２ビットのエリアであり、Ａフィールドは、制御データ伝送用の６４ビットのエリアである。Ｂフィールドは音声データ伝送用の３２０ビットのエリアであり、Ｘフィールドはパリティチェック用の４ビットのエリアである。Ｘフィールドの後には６０ビットの保護スペースが設けられている。
【０００７】
このように、各スロットは、Ｓフィールド、Ａフィールド、Ｂフィールド、Ｘフィールド、保護スペースからなり、各フィールドの用途は定められている。例えば、デジタルコードレス電話の親機から子機へのＬＥＤ（Light Emitting Device）などのランプ表示用制御データや着信通知などの制御データは、Ａフィールドを用いて伝送される。もちろん、子機から親機への種々の制御データもＡフィールドを用いて伝送される。
【０００８】
このため、オフィスなどに構築されるいわゆるビジネスホンシステムにおいて、デジタルコードレス電話が用いられる場合、主装置から送られてくる例えばランプ表示等の制御データが多くなることが考えられる。このような場合、各スロットのＡフィールドは６４ビットしかないために、伝送速度が数ｋｂｐｓ程度しか確保できず、制御データの伝送に時間が掛かる場合があると考えられる。この場合、制御データの送信元が親機であり、送信先が子機であれば、当該子機において必要な制御をタイムリーに行えなくなることが発生する可能性が考えられ、このような場合に対応しておく必要がある。
【０００９】
そこで、本願の出願人は、例えばＤＥＣＴ方式のコードレス電話において、通話中である場合にはＡフィールドを利用して制御データを送信し、通話中ではない場合にはＢフィールドを用いて制御データを送信する発明を提案している（特願２０１４−０５０３７９）。このようにすることによって通話中でない場合には、制御データの伝送の遅れを防止できる。しかしながら、依然として通話中における制御データの伝送は、Ａフィールドのみの利用となるためデータの伝送に時間がかかる。
【００１０】
このため、通話中においてコードレス電話装置を介して行われる種々の処理が迅速に行えない場合が発生する可能性がある。具体的には、例えば、接続している通信回線を保留して転送したり、主装置や親機に存在する電話帳を、子機を通じて調べたりするなどの場合である。この他にも、主装置１からの子機へのＬＣＤ（Liquid Crystal Display）についての表示制御データやＬＥＤ（Light Emitting Diode）についての表示制御データなども、多くなれば伝送に時間が掛かる場合があると考えられる。このような不具合の発生は、当該コードレス電話装置の使い勝手を悪くする可能性がある。
【００１１】
以上のことに鑑み、この発明は、ＴＤＭＡ／ＴＤＤ方式の無線通信規格を利用したコードレス電話装置において、通話中においても制御データの伝送を高速に行えるようにすることを目的とする。
【課題を解決するための手段】
【００１２】
上記課題を解決するため、請求項１に記載の発明のコードレス電話装置は、
親機と子機とからなり、前記親機と前記子機との間では、単位通信期間を複数のスロットに分割し、前記スロットのそれぞれは第１のフィールドと第１のフィールドよりもデータ長が長い第２のフィールドとを有し、前記親機から前記子機への通信と前記子機から前記親機への通信のそれぞれにおいて、前記スロットを用いてＴＤＭＡ（Time Division Multiple Access；時分割多元接続）／ＴＤＤ（Time Division Duplex；時分割複信）方式の無線通信を行うコードレス電話装置であって、
前記子機は、
所定のタイミングごとに、前記複数のスロットの利用状況を確認する確認手段と、
通話の開始時において、通話用スロットの取得要求を形成して前記親機に送信する第１の要求手段と、
通話の開始時において、前記確認手段により所定数以上の空きスロットの存在が確認されている場合に、前記通話用スロットとは異なる制御データ用スロットの取得要求を形成して前記親機に送信する第２の要求手段と、
前記制御データ用スロットが取得されている場合には、当該制御データ用スロットの少なくとも第２のフィールドが利用されて送信されてくる制御データに応じて制御を行い、前記制御データ用スロットが取得されていない場合には、前記通話用スロットの前記第１のフィールドが用いられて送信されてくる制御データに応じて制御を行う制御手段と
を備え、
前記親機は、
前記子機からの前記通話用スロットの取得要求を受信した場合に、前記子機との間に通話用スロットを取得する第１の取得手段と、
前記子機からの前記制御データ用スロットの取得要求を受信した場合に、前記子機との間に制御データ用スロットを取得する第２の取得手段と、
前記制御データ用スロットが取得されている場合には、当該制御データ用スロットの少なくとも第２のフィールドを用いて制御データを前記子機に送信し、前記制御データ用スロットが取得されていない場合には、前記通話用スロットの前記第１のフィールドを用いて制御データを送信し、前記第２のフィールドを用いて音声データを送信するように制御する送信制御手段と
を備えることを特徴とする。
【００１３】
この請求項１に記載の発明のコードレス電話装置によれば、子機は、確認手段が所定のタイミングごとに、単位通信期間に設けられる複数のスロットの利用状況を確認し、利用可能なスロット（空きスロット）を把握している。子機が、着信に応答したり、発信したりして、通話を開始する場合に、第１の要求手段が機能し、通話用スロットの取得要求を形成して親機に送信する。さらに、通話を開始する場合であって、確認手段によって所定数以上の空きスロットの存在が確認できている場合には、第２の要求手段が機能し、通話用スロットとは異なる制御データ用スロットの取得要求を形成して親機に送信する。
【００１４】
親機は、子機からの通話用スロットの取得要求に応じて第１の取得手段が機能して、通話用スロットを取得するようにし、当該通話用スロットを通じて、子機と親機との間での音声の送受信を可能にする。また、親機は、子機からの制御データ用スロットの取得要求に応じて第２の取得手段が機能して、通話用スロットは別の制御データ用スロットを取得し、当該制御データ用スロットを通じて、子機と親機との間での制御データの送受信を可能にする。
【００１５】
これにより、通話用スロットを通じて通話中であっても、制御データ用スロットが取得されている場合には、当該制御データ用スロットを通じて制御データが提供するようにされる。すなわち、通話中においても、通話用スロットの第１のフィールドだけで制御データを伝送する場合に比べて、多くの制御データを伝送できる。
【発明の効果】
【００１６】
この発明によれば、ＴＤＭＡ／ＴＤＤ方式の無線通信規格を利用したコードレス電話装置において、通話中においても制御データの伝送を高速に行うことができる。
【図面の簡単な説明】
【００１７】
【図１】実施の形態の電話システム１０の全体の構成例を示すブロック図である。
【図２】親機ＢＳ１の構成例を示すブロック図である。
【図３】子機ＨＳ１の構成例を示すブロック図である。
【図４】ＤＥＣＴ規格の符号化データを伝送するスロットの具体的な利用例について説明するための図である。
【図５】ＤＥＣＴ規格の符号化データを伝送するスロットの具体的な利用例について説明するための図である。
【図６】通話開始時に制御データ用スロットを取得する場合の処理を説明するためのシーケンス図である。
【図７】通話開始時に取得した制御データ用スロットを、空きスロットの不足に伴って解放する場合の処理を説明するためのシーケンス図である。
【図８】通話開始時に制御データ用スロットを取得できなかったために、通話中に制御データ用スロットを取得する場合の処理を説明するためのシーケンス図である。
【図９】実施の形態のコードレス電話装置の子機で実行される処理を説明するためのフローチャートである。
【図１０】図９に続くフローチャートである。
【図１１】実施形態のコードレス電話装置の親機で実行される処理を説明するためのフローチャートである。
【図１２】ＤＥＣＴ規格のフレーム及びスロットの構成を説明するための図である。
【発明を実施するための形態】
【００１８】
以下、図を参照しながら、この発明のコードレス電話装置の一実施の形態について説明する。以下に説明する実施の形態においては、この発明のコードレス電話装置を例えば企業の事務所などに形成されるいわゆるビジネスホンと呼ばれる電話システムで用いるようにした場合を例にして説明する。
【００１９】
［電話システムの構成例］
図１は、この実施形態の電話システム１０の全体の構成例を示すブロック図である。この例の電話システム１０においては、上位装置の例としての主装置１に対して、内線電話装置として、この発明に係る複数のコードレス電話装置２１、２２、・・・、２ｎ（ｎは２以上の整数。以下同じ）が接続されている。コードレス電話装置２１〜２ｎのそれぞれは、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００２０】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンと同様に、デジタルボタン電話端末も接続することも可能である。
【００２１】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行う。
【００２２】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２３】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２４】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２５】
親機ＢＳ１〜ＢＳｎのそれぞれは、基準同期信号ＳＹＮＣに基づいて、フレーム同期信号を生成する。そして、この実施形態において、親機ＢＳ１〜ＢＳｎのそれぞれは、その生成したフレーム同期信号に基づいて、子機ＨＳ１〜ＨＳｎとの間で、１フレーム期間の複数のスロットの１つ置きのスロットの内の１つを用いて無線通信を行うように制御するものとする。また、この実施形態において、子機ＨＳ１〜ＨＳｎのそれぞれも、親機ＢＳ１〜ＢＳｎとの間で、１フレーム期間の複数のスロットの１つ置きのスロットの内の１つを用いて無線通信を行うものとする。
【００２６】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００２７】
＜親機の構成例；図２＞
図２は、親機ＢＳ１の構成例を示すブロック図である。この図２に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００２８】
制御回路４１は、コンピュータを搭載して構成されている。そして、制御回路４１は、この親機ＢＳ１における呼制御などの制御を行う機能を備える。回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase  locked  Loop）部４２５とからなる。
【００２９】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００３０】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００３１】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００３２】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。
【００３３】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００３４】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００３５】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００３６】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００３７】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００３８】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００３９】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００４０】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００４１】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００４２】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００４３】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００４４】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００４５】
ＴＤＭＡ変復調部４４２は、フレーム同期信号ＦＬに同期するタイミング信号及びクロック信号を用いて、割り当て使用可能となるダウンリンクでのスロットの一つに相当する期間で子機ＨＳ１への送信信号を生成すると共に、アップリンクでのスロットの一つを用いて、子機ＨＳ１からの受信信号の処理を行うようにする。
【００４６】
なお、親機ＢＳ１は、主装置１に接続されて、前述したように、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された一つのスロットを用いて、無線通信部４４３を通じて子機ＨＳ１に送った時に、当該子機ＨＳ１から応答が返って来た時に、送信信号を送信するために用いたスロットをダウンリンク用と、子機ＨＳ１からの応答を受信したスロットをアップリンク用として同期を確立して、送受信を行うように制御するものである。
【００４７】
＜子機の構成例；図３＞
図３は、子機ＨＳ１の構成例を示すブロック図である。この図３に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００４８】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００４９】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００５０】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００５１】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００５２】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００５３】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００５４】
なお、制御回路５２は、この子機ＨＳ１からの発呼時には、発呼時の呼制御信号を無線通信回路５１を通じて親機ＢＳ１に送信し、また、親機ＢＳ１からの着信時の呼制御信号を受けた時には、着信音をスピーカ５６から放音するなどの処理を行う。
【００５５】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００５６】
［スロットの具体的な利用例］
図４、図５は、上述したコードレス電話装置を構成する親機ＢＳ１、ＢＳ２、…、ＢＳｎと子機ＨＳ１、ＨＳ２、…、ＨＳｎとの間でＤＥＣＴ規格の符号化データを伝送するスロットの具体的な利用例について説明するための図である。ＤＥＣＴ規格のコードレス電話装置においては、電源がオフの状態でなければ、待機状態（アイドル状態）で１台のコードレス電話装置が１２スロット中の１スロットを使用して、親機から子機へ、同期信号などを含め、種々の制御データを送信している。この時のスロットをダミーベアラという。
【００５７】
図４（Ａ）に示すように、コードレス電話装置２１がスロットＳ０を、コードレス電話装置２２がスロットＳ２をダミーベアラとして用いて、親機ＢＳ１、ＢＳ２から子機ＨＳ１、ＨＳ２に対して制御データなどを送信している状態にあるとする。また、図４（Ａ）に示すように、スロットＳ４、Ｓ６、Ｓ８、Ｓ１０は、空き状態（未使用状態）であるとする。この場合に、コードレス電話装置２２が着信に応答し、あるいは、自機から発信して、動作状態が待機状態から通話状態に移行する場合を考える。
【００５８】
コードレス電話装置２２の子機ＨＳ２は、制御部５１１が機能し、ＲＦ部５１３を通じて所定のタイミングごとに、使用チャンネルに設けられるフレームのダウンリンクの各スロットの信号を受信するようにし、各スロットの利用状況を確認している。すなわち、子機ＨＳ２の制御部５１１は、所定のタイミングごとに、使用チャンネルのフレームの各スロットのスキャニング処理を行っている。そして、子機ＨＳ２は、通話用スロットの取得要求を親機ＢＳ２に送信して、この例ではダミーベアラとし用いているスロットＳ２をそのまま通話用スロットとして用いるようにする。なお、この実施形態で用いられるコードレス電話装置の各子機は、子機ＨＳ２と同様にスロットの利用状況を把握するためのスキャニング機能を備えている。
【００５９】
さらに、子機ＨＳ１は、制御部５１１が、図４（Ａ）に示したように、スロットＳ４、Ｓ６、Ｓ８、Ｓ１０が空き状態であることを把握している。このように、通話開始時に２スロット以上の空きが存在する場合、子機ＨＳ２は、制御データ用スロットの取得要求を親機ＢＳ２に送信して、制御データ用のスロットを取得するように動作する。これにより、この実施形態では、図４（Ｂ）に示すように、空きスロットであるスロットＳ４が制御データ用スロットとして取得される。
【００６０】
これにより、ダウンリンクにおいて、スロットＳ２が通話用スロットとして用いられて、当該スロットのＢフィールドが用いられて親機ＢＳ２から子機ＨＳ２への音声データが伝送される。また、スロットＳ４が制御データ用スロットとして用いられて、当該スロットの少なくともＢフィールドが用いられて親機ＢＳ２から子機ＨＳ２への制御データが伝送される。
【００６１】
なお、ここでは、親機ＢＳ２から子機ＨＳ２へのダウンリンクを通じてのデータの伝送の場合を説明した。しかし、子機ＨＳ２から親機ＢＳ２へのアップリンクのスロットについても、ダウンリンクで取得されたスロットに対応するように、通話用スロットと制御データ用スロットとを取得する。これにより、子機ＨＳ２から親機ＢＳ２へのアップリンクについても、通話に応じた音声データと制御データとを異なるスロットを通じて伝送できる。
【００６２】
そして、通話時において、通話用スロットとは別に、制御データ用スロットを用いて制御データの伝送を行うことにより、大量の制御データが発生しても、伝送の遅延を発生させることなく制御データの伝送が可能となる。これにより、通話時においても、迅速に制御データの伝送ができ、伝送されてくる制御データに応じた制御を遅延させることなく、適切なタイミングで行える。
【００６３】
しかし、図４（Ｃ）に示すように、空きスロットであったスロットＳ６、Ｓ８、Ｓ１０が、コードレス電話装置２３、２４、２５により使用されるようになったとする。この状態は、上述もしたように、スキャニング機能を備えているコードレス電話装置２２の子機ＨＳ２において把握される。子機ＨＳ２の例えば制御部５１１では、自機と親機ＢＳ２との間では、通話用スロットと制御データ用スロットとの２スロットを用いていることも把握している。
【００６４】
そこで、子機ＨＳ２の制御部５１１は、制御回路５２の制御の下、制御データ用スロットとして取得したスロットＳ４の解放要求を形成し、これを親機ＢＳ２に送信する。これにより、図４（Ｄ）に示すように、制御データ用スロットとして取得したスロットＳ４を解放し、空きスロットとする。また、親機ＢＳ２は、子機ＨＳ２に対する制御データは、従来通りに、通話用スロットのＡフィールドを用いて伝送する。このように、スロットＳ４を空きスロットとすることで、他のコードレス電話装置の利用を可能にできる。例えば、コードレス電話装置２６の子機ＨＳ６が、圏外にあったために機能していなかった場合であって、子機ＨＳ６が復帰してきた場合には、スロットＳ４を使用することによって、コードレス電話装置２６の利用も可能になる。
【００６５】
図４を用いて、通話開始時において、制御データ用スロットを取得し、その後に空きスロットが不足してきた場合に、取得した制御データ用スロットを解放する場合を説明した。しかし、これに限ることなく、通話開示時には空きスロットが不足していたために制御データ用スロットは取得できなかったが、通話開始後において、空きスロットが発生した場合に、途中から制御データ用スロットを取得することもできる。
【００６６】
例えば、図５（Ａ）に示すように、コードレス電話装置２１、２２、２３、２４，２５、２６のそれぞれが、スロットＳ０、Ｓ２、Ｓ４、Ｓ６、Ｓ８、Ｓ１０をダミーベアラとして通信を行っていたとする。この場合に例えば着信が発生し、コードレス電話装置２１が応答して、スロットＳ０を通話用スロットとして取得し、通話を開始したとする。この場合には、空きスロットは存在しないので、コードレス電話装置２１は、制御データ用スロットを取得できない。
【００６７】
しかし、図５（Ｂ）に示すように、例えば、コードレス電話装置２５の子機ＨＳ５とコードレス電話装置２６の子機ＨＳ６が圏外に移動するなどしたために、それまでダミーベアラとして利用されていたスロットＳ８、Ｓ１０が空きスロットになったとする。この状態は、コードレス電話装置２１の子機ＨＳ１の制御部５１１が実現するスキャニング機能により把握できる。
【００６８】
このように、通話を行っているコードレス電話装置２１の子機ＨＳ１が、空きスロットの発生を把握すると、子機ＨＳ１は、制御データ用スロットの取得要求を形成し、これを親機ＢＳ１に対して送信する。当該制御データ用スロットの取得要求を受信した親機ＢＳ１は、図５（Ｃ）に示すように、空きスロットとなった、例えばスロットＳ８を制御データ用スロットとして取得する。
【００６９】
そして、親機ＢＳ１は、通話に応じた音声データは、通話用スロットのＢフィールドを用いて子機ＨＳ１に送信し、制御データは、新たに取得した制御データ用スロットの少なくともＢフィールドを用いて子機ＨＳ１に送信する。これにより、通話開始時に制御データ用スロットの取得ができなかった場合でも、その後に空きスロットが発生した場合には、発生した空きスロットを制御データ用スロットとして取得して利用できる。これにより、通話の途中からでも取得した制御データ用スロットを用いて、通話に応じた音声データとは別に制御データを送信できる。
【００７０】
なお、この実施形態では、制御データ用スロットの取得に際しては、少なくとも２スロット以上の空きスロットが存在する場合に制御データ用スロットを取得する。このようにすれば、必ず１スロットは他のコードレス電話装置の利用のために残しておくようにできる。
【００７１】
［コードレス電話装置の動作の詳細］
次に、図４、図５を用いて説明した制御データ用スロットの取得処理、解放処理について、図６〜図８のシーケンス図を用いて、主装置１との関係も含めて説明する。
【００７２】
［通話開始時の制御データ用スロットの取得処理］
図６は、通話開始時に制御データ用スロットを取得する場合の処理を説明するためのシーケンス図である。図４（Ａ）を用いて説明したように、コードレス電話装置２１がスロットＳ０を、コードレス電話装置２２がスロットＳ２をダミーベアラとして用いて対応する親機から子機へ制御データなどを伝送している状態にあるとする（ステップＡ１）。なお、この場合、図４（Ａ）に示したように、スロットＳ４、スロットＳ６、スロットＳ８、スロットＳ１０が空きスロットであるとする。また、図６においては、コードレス電話装置２１における処理についての記載は省略している。
【００７３】
そして、主装置１に収容された電話番号に着信があり（ステップＡ２）、主装置１からコードレス電話装置２１、２２の親機ＢＳ１、ＢＳ２に通話開始要求が通知されたとする（ステップＡ３）。この実施形態において、親機ＢＳ１、ＢＳ２は、ダミーベアラを通じて、子機ＨＳ１、ＨＳ２に対して通話パス接続指示をする（ステップＡ４）。これに応じて、子機ＨＳ１、ＨＳ２は、着信音を放音させたり、所定のＬＥＤ（Light Emitting Diode）を点滅させたりするなどの着信通知処理を実行し（ステップＡ５）、子機ＨＳ１、ＨＳ２の使用者に着信を通知する。
【００７４】
そして、コードレス電話装置２２の子機ＨＳ２の使用者が、子機ＨＳ２に対して応答操作を行ったとする（ステップＡ６）。この場合、子機ＨＳ２の制御回路５２は、制御部５１１を制御して、音声パス接続要求を形成し、これをＴＤＭＡ変復調部５１２及びＲＦ部５１３を通じて、アップリンクの所定のスロットを通じて親機ＢＳ２に送信する（ステップＡ７）。子機ＨＳ２からの音声パス接続要求は、親機ＢＳ２の無線通信部４４３で受信され、ＴＤＭＡ変復調部４４２で復調されて、これが制御部４４１を通じて制御回路４１に通知される。
【００７５】
制御回路４１は、現在、ダミーベアラとして用いているスロットＳ２を通話用スロット（トラフィックベアラ）として取得するように、制御部４４１を制御する。これにより、制御部４４１は、スロットＳ２を通話用スロットとして取得することの通知を含む応答を形成し、これをＴＤＭＡ変復調部４４２及び無線通信部４４３を通じて子機ＨＳ２に送信する（ステップＡ８）。
【００７６】
さらに、子機ＨＳ２の制御回路５２は、制御部５１１を制御して、空きスロットが２スロット以上ある場合、空きスロットを制御データ用スロットとして取得することを要求するスロット取得要求を形成する。そして、この形成したスロット取得要求をＴＤＭＡ変復調部５１２及びＲＦ部５１３を通じて、アップリンクの所定のスロットを通じて親機ＢＳ２に送信する（ステップＡ９）。子機ＨＳ２からの当該スロット取得要求は、親機ＢＳ２の無線通信部４４３で受信され、ＴＤＭＡ変復調部４４２で復調されて、これが制御部４４１を通じて制御回路４１に通知される。
【００７７】
制御回路４１は、子機ＨＳ２からのスロット取得要求に応じて、この実施形態ではスロットＳ４を制御データ用スロットとして取得するように、制御部４４１を制御する。これにより、制御部４４１は、スロットＳ４を制御データ用スロットとして取得することの通知を含む応答を形成し、これをＴＤＭＡ変復調部４４２及び無線通信部４４３を通じて子機ＨＳ２に送信する（ステップＡ１０）。
【００７８】
ステップＡ７、Ａ８の処理により、親機ＢＳ２と子機ＨＳ２との間には、スロットＳ２が通話用スロットとして取得するようにされ、主装置１及び親機ＢＳ２を介して、子機ＨＳ２が通話を行うことができるようにされる（ステップＡ１１）。さらに、ステップＡ９、Ａ１０の処理により、親機ＢＳ２と子機ＨＳ２との間には、スロットＳ４が、制御データ用スロットとして取得するようにされ、主装置１からの制御データが、親機ＢＳ２を介して、子機ＨＳ２に提供される（ステップＡ１１、Ａ１２）。これにより、図４（Ｂ）に示した状態になる。
【００７９】
そして、この場合、主装置１からの制御データは、親機ＢＳ２と子機ＨＳ２との間に接続された制御データ用スロットＳ４の少なくともＢフィールドを用いて伝送される。したがって、図６において、ステップＡ１２−１、Ａ１２−２、Ａ１２−３、Ａ１２−４に示したように、ＬＣＤ情報やＬＥＤ情報、その他の制御データなどは、遅滞なく、親機ＢＳ２を介して、子機ＨＳ２に提供される。
【００８０】
ここで、ＬＣＤ情報は、子機のＬＣＤに情報を表示するための制御情報であり、ＬＥＤ情報は子機のＬＥＤの点灯、消灯を制御する制御情報である。このように、ＬＣＤ情報やＬＥＤ情報を遅滞なく子機ＨＳ２に遅れるので、子機ＨＳ２においてのＬＣＤ制御やＬＥＤ制御を遅滞なく、迅速かつ適切に行うことができる。
【００８１】
［取得した制御データ用スロットの解放処理］
図７は、通話開始時に取得した制御データ用スロットを、空きスロットの不足に伴って解放する場合の処理を説明するためのシーケンス図である。図６を用いて説明し、また、図７にも示すように、コードレス電話装置２２の親機ＢＳ２と子機ＨＳ２との間には、通話用スロットとしてスロットＳ２が取得され、通話が行われているものとする（ステップＡ１１）。また、コードレス電話装置２２の親機ＢＳ２と子機ＨＳ２との間には、制御データ用スロットとしてスロットＳ４が取得され、当該制御データ用スロットＳ４を通じて主装置１から子機ＨＳ２への制御データの伝送が行われているものとする（ステップＡ１１、Ａ１２）。
【００８２】
この場合、図６を用いて説明し、また、図７にも示すように、主装置１から子機ＨＳ２への制御データの提供は、制御データ用スロットＳ４の少なくともＢフィールドが用いられて遅滞なく提供されている。この時に、図４（Ｃ）に示したように、スロットＳ６、Ｓ８、Ｓ１０が使用され、空きスロットが消滅したとする。この状態を子機ＨＳ２の制御部５１１がスキャニング機能により検知したとする（ステップＢ１）。
【００８３】
この場合、子機ＨＳ２の制御部５１１は、制御回路５２の制御の下、制御データ用スロットのスロット解放要求を形成し、これをＴＤＭＡ変復調部５１２及びＲＦ部５１３を通じて、アップリンクの所定のスロットを通じて親機ＢＳ２に送信する（ステップＢ２）。子機ＨＳ２からのスロット解放要求は、親機ＢＳ２の無線通信部４４３で受信され、ＴＤＭＡ変復調部４４２で復調されて、これが制御部４４１を通じて制御回路４１に通知される。
【００８４】
親機ＢＳ２の制御回路４１は、使用している制御データ用スロットであるスロットＳ４を解放するように、制御部４４１を制御する。これにより、制御部４４１は、スロットＳ４を解放することの通知を含む応答を形成し、これをＴＤＭＡ変復調部４４２及び無線通信部４４３を通じて、制御データ用スロットを利用して子機ＨＳ２に送信する（ステップＢ３）。これにより、親機ＢＳ２と子機ＨＳ２との間に取得されていた制御データ用スロットであるスロットＳ４が解放される（ステップＢ４）。
【００８５】
この後、主装置１から子機ＨＳ２への制御データは、通話用スロットのＡフィールドを用いて伝送される。この場合、Ｂフィールドが３２０ビットであるのに対して、Ａフィールドは６４ビットであるので、図７のステップＢ４−１、Ｂ４−２に示すように、親機ＢＳ２から子機ＨＳ２への伝送に時間がかかるようになる。しかし、制御データの提供は継続できる。しかも、図４（Ｄ）に示したように、制御データ用スロットとして利用されていたスロットＳ４を空きスロットとすることができるので、新たなコードレス電話装置の利用が可能な状態を確保できる。
【００８６】
［通話中の状態からの制御データ用スロットの取得処理］
図８は、通話開始時に制御データ用スロットを取得できなかったために、通話中に制御データ用スロットを取得する場合の処理を説明するためのシーケンス図である。図５（Ａ）に示したように、コードレス電話装置２１が、スロットＳ０を通話用スロットとして用いて通話を開始したが、スロットＳ２、Ｓ４、Ｓ６、Ｓ８、Ｓ１０は、コードレス電話装置２２、２３、２４、２５、２６により使用されている状態であったとする。
【００８７】
すなわち、コードレス電話装置２１の通話開始時において、空きスロットが存在しなかったとする。この場合、図８に示すように、コードレス電話装置２１の親機ＢＳ１と子機ＨＳ１との間では、通話用スロットＳ０の６４ビットのＡフィールドを用いて制御データが伝送され、３２０ビットのＢフィールドを用いて通話音声データが伝送される（ステップＣ１）。この場合、図８のステップＣ１−１、Ｃ１−２、Ｃ１−３、Ｃ１−４に示すように、ＬＣＤ情報やＬＥＤ情報などの制御データの親機ＢＳ１から子機ＨＳ１への伝送にはある程度の時間がかかる。
【００８８】
しかし、図５（Ｂ）に示したように、コードレス電話装置２５、２６が、例えば子機ＨＳ５、ＨＳ６が圏外に移動したためにダミーベアラとして利用されていたスロットＳ８、Ｓ１０が解放され、空きスロットが２スロット分発生したとする。この状態は、コードレス電話装置２１の子機ＨＳ１において定期的に行われるスキャニング処理により把握される。このように、空きスロットが２スロット以上あることが確認できると（ステップＣ２）、子機ＨＳ１の制御回路５２は、制御部５１１を制御して、空きスロットを制御データ用スロットとして取得することを要求するスロット取得要求を形成する。そして、この形成したスロット取得要求をＴＤＭＡ変復調部５１２及びＲＦ部５１３を通じて、アップリンクの所定のスロットを通じて親機ＢＳ１に送信する（ステップＣ３）。
【００８９】
子機ＨＳ１からの当該スロット取得要求は、親機ＢＳ１２の無線通信部４４３で受信され、ＴＤＭＡ変復調部４４２で復調されて、これが制御部４４１を通じて制御回路４１に通知される。制御回路４１は、子機ＨＳ１からのスロット取得要求に応じて、この実施形態では図５（Ｃ）に示したように、スロットＳ８を制御データ用スロットとして取得するように、制御部４４１を制御する。これにより、制御部４４１は、スロットＳ８を制御データ用スロットとして取得することの通知を含む応答を形成し、これをＴＤＭＡ変復調部４４２及び無線通信部４４３を通じて子機ＨＳ１に送信する（ステップＣ４）。
【００９０】
このステップＣ３、Ｃ４の処理により、親機ＢＳ１と子機ＨＳ１との間には、スロットＳ８が、制御データ用スロットとして取得するようにされ、主装置１からの制御データが、親機ＢＳ１を介して、子機ＨＳ１に提供される（ステップＣ１、Ｃ５）。これにより、主装置１からの例えばＬＣＤ情報やＬＥＤ情報などの制御データは、親機ＢＳ１から子機ＨＳ１へ制御データ用スロットＳ８を通じて伝送されるので、ステップＣ５−１、Ｃ５−２、Ｃ５−３、Ｃ５−４に示すように迅速な伝送が可能になる。
【００９１】
［コードレス電話装置の子機で行われる処理のまとめ］
図９、図１０は、この実施形態のコードレス電話装置２１〜２ｎの子機ＨＳ１〜ＨＳｎのそれぞれで実行される処理を説明するためのフローチャートである。ここでは、説明を簡単にするため、コードレス電話装置２１の子機ＨＳ１で実行される処理として説明する。
【００９２】
図９、図１０のフローチャートに示す処理は、親機ＢＳ１との間で同期処理が終了し、ダミーベアラを通じて親機ＢＳ１から子機ＨＳ１への同期信号や制御データなどの伝送が開始された後に、子機ＨＳ１の主に制御回路５２と制御部５１１とにより実行される。そして、上述もしたように、子機ＨＳ１の制御部５１１は、所定のタイミングごとに親機ＢＳ１との間で通信に使用するチャンネルに設けられるスロットの利用状況を確認するスキャニング処理を実行している。
【００９３】
まず、子機ＨＳ１の制御回路５２は、自機の動作状態を確認し（ステップＳ１０１）、自機が通話中か否かを判別する（ステップＳ１０２）。ステップＳ１０２の判別処理において、通話中ではないと判別したときには、親機ＢＳ１からの要求等を受信するようにする（ステップＳ１０３）。そして、制御回路５２は、親機ＢＳ１からの要求等を受信したか否かを判別し（ステップＳ１０４）、受信したと判別したときには、受信した要求等は、通話パスの接続要求か否かを判別する（ステップＳ１０５）。
【００９４】
ステップＳ１０５の判別処理において、通話パスの接続要求を受信していないと判別したときには、親機ＢＳ１からの要求に応じた処理を実行し（ステップＳ１０６）、ステップＳ１０１からの処理を繰り返す。ステップＳ１０５の判別処理において、通話パスの接続要求を受信したと判別したときには、制御回路５２は、着信音を放音するようにしたり、着信を通知するＬＥＤを点滅させたりするなどの着信通知処理を実行する（ステップＳ１０７）。そして、制御回路５２は、図３には図示していないが当該制御回路５２に接続された操作部を通じての使用者からの操作入力を受け付ける（ステップＳ１０８）。
【００９５】
この後、制御回路５２は、使用者からオフフック操作を受け付けたか否かを判別する（ステップＳ１０９）。ステップＳ１０９の判別処理において、使用者からオフフック操作を受け付けたと判別したとする。この場合、制御回路５２は、制御部５１１を制御して、音声パス接続要求を形成し、これを親機ＢＳ１に送信すると共に、親機からの応答を受信して、通話用スロットを取得し、当該通話用スロットを通じて音声通話パスを接続する処理を行う（ステップＳ１１０）。
【００９６】
さらに、制御回路５２は、定期的に制御部５１１が行っているスキャニング結果を参照し、２スロット以上の空きスロットが有るか否かを判別する（ステップＳ１１１）。ステップＳ１１１の判別処理において、２スロット以上の空きスロットが存在することが確認できたとする。この場合、制御回路５２は、制御部５１１を制御して、制御データ用スロットの取得要求を形成し、これを親機ＢＳ１に送信すると共に、親機からの応答を受信して、制御データ用スロットを取得し、当該制御データ用スロットのＢフィールドを用いて、親機ＢＳ１から子機ＨＳ１に制御データを伝送して利用できるようにする（ステップＳ１１２）。この後、制御回路５２は、ステップＳ１０１からの処理を繰り返す。
【００９７】
なお、図９のフローチャートに示したように、ステップＳ１０４において、親機ＢＳ１からの要求等を受信していないと判別した場合には、ステップＳ１０１からの処理を繰り返す。同様に、ステップＳ１０９の判別処理において、オフフック操作を受け付けていないと判別したときと、ステップＳ１１１の判別処理において、２スロット以上の空きスロットが存在しないと判別したときにも、ステップＳ１０１からの処理を繰り返す。
【００９８】
また、図９に示したステップＳ１０２の判別処理において、現在の動作状態が通話中であると判別したとする。この場合には、図１０に示す処理に進む。この場合、制御回路５２は、通話用スロットはどのスロットか、制御データ用スロットは取得済みか、取得済みの場合、制御データ用スロットはどのスロットかを管理している。このため、まず、制御回路５２は、制御データ用スロットが取得済みか否かを判別する（ステップＳ１１３）。ステップＳ１１３の判別処理において、制御データ用スロットは取得済みではないと判別したときには、制御回路５２は、定期的に制御部５１１が行っているスキャニング結果を参照し、２スロット以上の空きスロットが有るか否かを判別する（ステップＳ１１４）。
【００９９】
ステップＳ１１４の判別処理において、２スロット以上の空きスロットの存在が確認できたとする。この場合、制御回路５２は、制御部５１１を制御して、制御データ用スロットの取得要求を形成し、これを親機ＢＳ１に送信すると共に、親機からの応答を受信して、制御データ用スロットを取得し、当該制御データ用スロットのＢフィールドを用いて、親機ＢＳ１から子機ＨＳ１に制御データを伝送して利用できるようにする（ステップＳ１１５）。
【０１００】
また、ステップＳ１１３の判別処理において、制御データ用スロットは取得済みであると判別したときには、制御回路５２は、定期的に制御部５１１が行っているスキャニング結果を参照し、１スロット分以上の空きスロットが有るか否かを判別する（ステップＳ１１６）。ステップＳ１１６の判別処理において、１スロット分以上の空きがない（利用可能な全てのスロットが利用されている）と判別したとする。この場合、制御回路５２は、制御部５１１を制御して、取得して利用している制御データ用スロットのスロット解放要求を形成し、これを親機ＢＳ１に送信し、これに応じて親機ＢＳ１から送信されてくる応答を受信して、当該制御データ用スロットを解放する処理を行う（ステップＳ１１７）。
【０１０１】
そして、図１０に示すように、ステップＳ１１５の処理の後と、ステップＳ１１６の判別処理においてスロットに空きがないと判別した場合と、ステップＳ１１７の処理の後においては、制御回路５２は、通話を終了する事象が発生したか否かを確認する（ステップＳ１１８）。このステップＳ１１８の確認処理は、通話の相手先がオンフックすることにより、主装置１から送信された通話終了要求を受信したり、自機のオフフックキーが操作されたりするなどの事象の発生を確認する。
【０１０２】
この後、制御回路５２は、ステップＳ１１８の確認処理に基づいて、通話を終了する事象が発生した否か（通話を終了するか否か）を判別する（ステップＳ１１９）。ステップＳ１１９の判別処理において、通話を終了する事象は発生してないと判別したときには、制御回路５２は、通話状態を維持し、ステップＳ１１３からの処理を繰り返すことによって、制御データ用スロットの取得処理や解放処理を行えるようにする。
【０１０３】
ステップＳ１１９の判別処理において、通話を終了する事象が発生したと判別したときには、制御回路５２は、制御データ用スロットが取得済みか否かを判別する（ステップＳ１２０）。ステップＳ１２０の判別処理において、制御データスロットが取得済みであると判別したとする。この場合、制御回路５２は、制御部５１１を制御して、取得して利用している制御データ用スロットのスロット解放要求を形成し、これを親機ＢＳ１に送信し、これに応じて親機ＢＳ１から送信されてくる応答を受信して、当該制御データ用スロットを解放する処理を行う（ステップＳ１２１）。
【０１０４】
ステップＳ１２０の判別処理において、制御データスロットは取得されていないと判別した場合と、ステップＳ１２１の制御データ用スロットの解放処理の後においては、ダミーベアラへの移行処理を行う（ステップＳ１２２）。このステップＳ１２２の処理は、所定のスロットをダミーベアラとして用いて、親機ＢＳ１から子機ＨＳ１への同期信号や制御データの送信を行うようにする状態に移行する処理を行うものである。そして、ステップＳ１２２の処理においては、図９に示したステップＳ１０１からの処理を繰り返すことになる。
【０１０５】
このように、図９、図１０の処理により、コードレス電話装置２１の子機ＨＳ１は、通話用スロットを取得して通話パスを接続する処理と、制御データ用スロットの取得処理と、取得した制御データ用スロットの解放処理を適切に行うことができる。
【０１０６】
［コードレス電話装置の親機で行われる処理のまとめ］
図１１は、この実施形態のコードレス電話装置２１〜２ｎの親機ＢＳ１〜ＢＳｎのそれぞれで実行される処理を説明するためのフローチャートである。ここでは、説明を簡単にするため、コードレス電話装置２１の親機ＢＳ１で実行される処理として説明する。図１１のフローチャートに示す処理は、子機ＨＳとの間で同期処理が終了し、ダミーベアラを通じて親機ＢＳ１から子機ＨＳ１への同期信号や制御データなどの伝送が開始された後に、親機ＢＳ１の主に制御回路４１と制御部４４１とにより実行される。
【０１０７】
親機ＢＳ１の制御回路４１は、子機からの要求等を、無線通信回路４４を通じて受信するようにし（ステップＳ２０１）、子機ＨＳ１からの要求等を受信したか否かを判別する（ステップＳ２０２）。ステップＳ２０２の判別処理において、子機ＨＳ１からの要求等を受信したと判別したときには、受信した要求等は制御データ用スロットの取得要求か否かを判別する（ステップＳ２０３）。
【０１０８】
ステップＳ２０３の判別処理において、子機ＨＳ１からの要求等が制御データ用スロットの取得要求であると判別したとする。この場合、制御回路４１は、子機ＨＳ１からのスロット取得要求に応じて、所定の空きスロットを制御データ用スロットとして取得するように、制御部４４１を制御する（ステップＳ２０４）。このステップＳ２０４において、制御部４４１は、所定の空きスロットを制御データ用スロットとして取得することの通知を含む応答を形成し、これをＴＤＭＡ変復調部４４２及び無線通信部４４３を通じて子機ＨＳ２に送信する処理を行う。この後、親機ＢＳ１の制御回路４１は、親機ＢＳ１からの制御データを、取得した制御データ用スロットの少なくともＢフィールドを通じて子機ＨＳ１に伝送する処理を行う。
【０１０９】
ステップＳ２０３の判別処理において、子機ＨＳ１からの要求等が制御データ用スロットの取得要求ではないと判別したとする。この場合、制御回路４１は、子機ＨＳ１からの要求等が制御データ用スロットの解放要求か否かを判別する（ステップＳ２０５）。ステップＳ２０５の判別処理において、子機ＨＳ１からの要求等が制御データ用スロットの解放要求であると判別したとする。この場合、制御回路４１は、取得して使用している制御データ用スロットを解放するように、制御部４４１を制御する（ステップＳ２０６）。
【０１１０】
ステップＳ２０６において、制御部４４１は、取得して使用している制御データ用スロットを解放することの通知を含む応答を形成し、これをＴＤＭＡ変復調部４４２及び無線通信部４４３を通じて、当該制御データ用スロットを利用して子機ＨＳ２に送信する。これにより、親機ＢＳ１と子機ＨＳ１との間に取得されていた制御データ用スロット解放される。この後において、親機ＢＳ１の制御回路４１は、通話用スロットのＡフィールドを用いて制御データの伝送を行うようにする。
【０１１１】
また、ステップＳ２０５の判別処理において、子機ＨＳ１からの要求等が制御データ用スロットの解放要求ではないと判別したとする。この場合、親機ＢＳ１の制御回路４１は、子機ＨＳ１からの要求に応じた処理を実行する（ステップＳ２０７）。このステップＳ２０７では、例えば、通話用スロットの取得や通話終了に伴う通話用スロットの解放、ダミーベアラを通じての通信を行う状態への移行などの処理が行われる。
【０１１２】
そして、図１１に示すように、ステップＳ２０２の判別処理において、子機ＨＳ１からの要求等を受信していないと判別した場合には、ステップＳ２０１からの処理を行う。同様に、ステップＳ２０４の処理の後と、ステップＳ２０６の処理の後と、ステップＳ２０７の処理の後においても、ステップＳ２０１からの処理を繰り返す。
【０１１３】
このように、図１１の処理により、コードレス電話装置２１の親機ＢＳ１は、子機ＨＳ１からの要求に応じて、通話用スロットを取得して通話パスを接続する処理と、制御データ用スロットの取得処理と、取得した制御データ用スロットの解放処理を適切に行うことができる。
［実施の形態の効果］
この実施形態のコードレス電話装置は、通話を開始する場合や通話中において、スロットに空きがある場合に、当該空きスロットを制御データ用スロットとして取得し、この制御データ用スロットの少なくともＢフィールドを用いて制御データを伝送できる。このように、通話中においても、制御データ用スロットの少なくとも３２０ビットのＢフィールドを用いて制御データの伝送ができるので、通話中においても制御データを遅延なく親機から子機に伝送でき、当該制御データに応じた制御を適切なタイミングで実行できる。
【０１１４】
また、制御データ用スロットを利用している場合に、スロットが不足する状態になったら、制御データ用スロットは即座に解放することができる。これにより、スロット不足による他のコードレス電話装置が利用できなくなる状態を生じさせることもない。
【０１１５】
［変形例］
なお、上述した実施の形態では、制御データ用スロットを用いて制御データを伝送する場合に、当該制御データ用スロットの少なくともＢフィールドを用いるものとして説明したが、もちろんＢフィールドに加えて、Ａフィールドを利用するようにしてもよい。また、制御データ用スロットを利用する場合には、図１２に示したフォーマットに限ることなく、制御データ用フォーマットを取り決めて、これに従って制御データの伝送を行うこともできる。
【０１１６】
また、空きスロットが多い場合には、複数スロットを制御データ用スロットとして取得し、これを用いるようにすることもできる。
【０１１７】
なお、制御データ用スロットの選択は、図１２等に示したスロットを特定するＳ０〜Ｓ２３のスロット番号の若いものから取得するなどの対応を取ることができる。また、いつ空きスロットになったスロットについて、各子機ＨＳにおいて、いつ空きスロットになったのかを管理しておくことにより、空きスロットになって古いものから制御データ用スロットとして選択するようにしたり、逆に、空きスロットになって新しいものから制御データ用スロットとして選択するようにしたりすることもできる。
【０１１８】
また、親機ＢＳにおいても、スロットの利用状況を把握するためのスキャニング処理を実行し、その結果を子機ＨＳに通知してくる仕組みを持つことによって、親機ＢＳからのスキャニング結果をも考慮し、親機ＢＳと子機ＨＳとの両方において、空きスロットになっているスロット制御データ用スロットとして選択するようにしてもよい。
【０１１９】
［その他］
上述した実施の形態の説明からも分かるように、コードレス電話装置の子機の確認手段の機能は、子機の具体例である子機ＨＳ１の制御部５１１が実現し、子機の第１、第２、第３の要求手段、解放要求手段の機能は、子機の具体例である子機ＨＳ１の制御回路５２と制御部５１１が協働して実現している。また、子機の制御手段の機能は、子機の具体例である子機ＨＳ１の制御回路５２が実現している。
【０１２０】
また、コードレス電話装置の親機の第１、第２、第３の取得手段、解放手段の機能は、親機の具体例である親機ＢＳ１の主に制御部４４１及び制御回路４１が実現し、親機の送信制御手段の機能は、親機の具体例である親機ＢＳ１の主に制御回路４１が実現している。
【符号の説明】
【０１２１】
１…主装置、２１〜２ｎ…コードレス電話装置、ＢＳ、ＢＳ１〜ＢＳｎ…親機、ＨＳ、ＨＳ１〜ＨＳｎ…子機、４１…制御回路、４４…無線通信回路、４４１…制御部、４４２…ＴＤＭＡ変復調部、４４３…無線通信部、５２…制御回路、５１…無線通信回路、５１１…制御部、５１２…ＴＤＭＡ変復調部、５１３…無線通信部
【図１】
0006455670.tif 000002
【図２】
0006455670.tif 000003
【図３】
0006455670.tif 000004
【図４】
0006455670.tif 000005
【図５】
0006455670.tif 000006
【図６】
0006455670.tif 000007
【図７】
0006455670.tif 000008
【図８】
0006455670.tif 000009
【図９】
0006455670.tif 000010
【図１０】
0006455670.tif 000011
【図１１】
0006455670.tif 000012
【図１２】
0006455670.tif 000013